(57)【特許請求の範囲】
【請求項１】
１００ｖｏｌｐｐｍ以下の亜硫酸ガスと、酸素および水分とを含む被処理ガスから上記亜硫酸ガスを除去する活性炭触媒反応装置であって、活性炭が充填され、それぞれの長手方向の側壁を上記被処理ガスの流れ方向に沿わせて当該流れ方向と交差する方向に複数配設され、かつ上記長手方向と交差する厚さ方向に上記被処理ガスが通過するように設けられた活性炭触媒層と、この活性炭触媒層で上記活性炭を触媒とする上記亜硫酸ガスと酸素との接触酸化反応により生成した希硫酸を連続的に排出する希硫酸回収手段とを備えてなることを特徴とする活性炭触媒反応装置。
【請求項２】
上記活性炭は、ヤシ殻活性炭、木材からの活性炭、コールタール系ピッチからの活性炭、石油ピッチからの活性炭、石炭からの活性炭および活性コークスから選択される一種または複数種からなり、かつ接触硫酸化速度Ｒが５μｍｏｌ／ｇ／ｈr 以上であることを特徴とする請求項１に記載の活性炭触媒反応装置。
【請求項３】
上記活性炭触媒層は、各々上記厚さ寸法が０．２〜２ｍで、かつ通過する被処理ガスの空塔速度が０．１〜２．０ｍ／ｓである断面積を有するとともに、上記被処理ガスの流れ方向と交差する方向に互に並行に配設されていることを特徴とする請求項１または２に記載の活性炭触媒反応装置。
【請求項４】
上記活性炭は、最大外形寸法が０．１〜２０ｍｍであることを特徴とする請求項１ないし３のいずれかに記載の活性炭触媒反応装置。
【請求項５】
上記各活性炭触媒層は板状をなし、かつ隣接する上記活性炭触媒層の上記流れ方向の先端側端部間および基端側端部間に、交互に当該端部間を閉塞する仕切板を設けたことを特徴とする請求項１ないし４のいずれかに記載の活性炭触媒反応装置。
【請求項６】
上記活性炭触媒層は、上記被処理ガスの流れ方向に沿って上記側壁を上下方向に向けて配設されており、かつ上記希硫酸回収手段は、上記活性炭触媒層の下端部同士を連結する仕切板に形成されて希硫酸を集液する樋状部と、この樋状部で集液された上記希硫酸を排出する流下管とを備えてなることを特徴とする請求項５に記載の活性炭触媒反応装置。
【請求項７】
上記活性炭触媒層は、上記流れ方向に沿って上記側壁を水平方向に向けて配設されており、かつ上記希硫酸回収手段は、上記活性炭触媒層の下面側下方に設けられて上記希硫酸を集液する受皿と、この受皿で集液された上記希硫酸を排出する流下管とを備えてなることを特徴とする請求項５に記載の活性炭触媒反応装置。
【請求項８】
上記各活性炭触媒層は円筒状をなし、かつ側壁を上記流れ方向に沿わせて配設されているとともに、上記流れ方向の基端側が開口し、かつ先端面が閉塞されていることを特徴とする請求項１ないし４のいずれかに記載の活性炭触媒反応装置。
【請求項９】
上記活性炭触媒層を洗浄する洗浄手段を設けたことを特徴とする請求項１ないし８のいずれかに記載の活性炭触媒反応装置。
【請求項１０】
排ガスを吸収部において吸収液と接触させて亜硫酸ガスを除去するとともに、当該排ガス中の亜硫酸ガスを吸収した上記吸収液を吸収液槽に貯留する湿式の排煙脱硫装置において、上記排ガス流路の上記吸収部の下流側に請求項１ないし９のいずれかに記載の活性炭触媒反応装置を設け、かつ上記活性炭触媒反応装置の希硫酸回収手段を、上記吸収液槽に導いたことを特徴とする排煙脱硫装置。
【請求項１１】
上記活性炭触媒反応装置は、上記吸収部と吸収液槽とが設けられた吸収塔の排ガス出口側配管に接続されていることを特徴とする請求項１０に記載の排煙脱硫装置。
【請求項１２】
上記活性炭触媒反応装置は、上記吸収部と吸収液槽とが設けられた吸収塔内に配設されていることを特徴とする請求項１０に記載の排煙脱硫装置。
【請求項１３】
隔壁となる下部デッキおよび上部デッキにより、上記下部デッキの下方に位置する吸収液槽と、上記上下部デッキ間にあって排ガスダクトが接続された入口プレナムと、上記上部デッキ上方にあって排ガスダクトと連通する出口プレナムとに画成され、上記下部デッキに穿設された複数の開口部に、下端開口部が上記吸収液槽内の吸収液面より下方に位置し、かつ下端外周壁に排ガスの噴出孔が形成されたスパージャーパイプが垂設されるとともに、上記下部デッキと上部デッキとの間に、上記吸収液槽の吸収液面上の空間を出口プレナム側に連通させるガスライザーが配設された反応槽を有する排煙脱硫装置において、上記出口プレナム内に上記請求項１ないし９のいずれかに記載の活性炭触媒反応装置を設け、かつ上記希硫酸回収手段を上記吸収液槽に導いたことを特徴とする排煙脱硫装置。
【請求項１４】
上記活性炭触媒層を洗浄する洗浄手段を設け、かつ上記洗浄手段における洗浄液は、上記吸収液槽内の吸収液石膏スラリーを脱水して得られた母液を、上記吸収塔へ戻すための吸収液戻りラインから供給されていることを特徴とする請求項１０ないし１３のいずれかに記載の排煙脱硫装置。
【請求項１５】
１００ｖｏｌｐｐｍ以下の亜硫酸ガスと、酸素および水分とを含む被処理ガスを、活性炭が充填され、それぞれの長手方向の側壁を上記被処理ガスの流れ方向に沿わせて、当該流れ方向と交差する方向に複数配設された活性炭触媒層の上記側壁と交差する厚さ方向に通過させることにより、上記活性炭触媒層において亜硫酸ガスと酸素とを接触酸化させて三酸化イオウに変換させるとともに、この三酸化イオウを水分と反応させて希硫酸を生成させ、得られた上記希硫酸を上記活性炭触媒層から連続的に分離することを特徴とする脱硫方法。
【請求項１６】
上記活性炭として、ヤシ殻活性炭、木材からの活性炭、コールタール系ピッチからの活性炭、石油ピッチからの活性炭、石炭からの活性炭および活性コークスから選択される一種または複数種からなり、かつ接触硫酸化速度Ｒが５μｍｏｌ／ｇ／ｈr 以上であるものを用いることを特徴とする請求項１５に記載の脱硫方法。
【請求項１７】
上記被処理ガスを、上記活性炭触媒層に接触脱硫率Ｙが少なくとも８０％となるように通過させることを特徴とする請求項１５または１６に記載の脱硫方法。
【請求項１８】
排ガスに吸収液を接触させて得られた１００ｖｏｌｐｐｍ以下の亜硫酸ガスと、酸素および水分とを含む一次処理排ガスを、請求項１５ないし１７のいずれかに記載の脱硫方法によって二次脱硫処理するとともに、これと並行して上記二次脱硫処理において生成した希硫酸を、上記一次処理において上記排ガス中の亜硫酸ガスを吸収した吸収液を貯留する吸収液槽に導入することを特徴とする脱硫方法。
【請求項１９】
上記吸収液は、石灰石の水性スラリー液であり、上記吸収液槽において、上記吸収液と亜硫酸ガスとの反応によって得られた中和物を酸化して石膏を生成させることを特徴とする請求項１８に記載の脱硫方法。
【請求項２０】
上記活性炭触媒層を、水で洗浄するとともに、洗浄後の排液を上記吸収液槽に導入することを特徴とする請求項１８または１９に記載の脱硫方法。
【請求項２１】
上記活性炭触媒層を、上記吸収液槽内の吸収液石膏スラリーを脱水して得られた母液もしくは上記母材と水との混合液で洗浄するとともに、洗浄後の排液を上記吸収液槽に導入することを特徴とする請求項１９に記載の脱硫方法。
【発明の詳細な説明】
【０００１】
【産業上の利用分野】
本発明は、排ガス等の被処理ガス中に含まれる亜硫酸ガス等を除去するための活性炭触媒反応装置およびこれを用いた排煙脱硫装置並びに脱硫方法に関するものである。
【０００２】
【従来の技術】
従来より、ボイラー、各種加熱炉あるいは焼却炉等の排ガス中から亜硫酸ガス等の有害成分を除去するための排煙脱硫装置の一種として、上記排ガス中に含まれる亜硫酸ガス（ＳＯ2）を、石灰石（ＣａＣＯ3）を溶解または懸濁した水溶液からなる吸収液と接触させて中和することにより、上記吸収液中に吸収・除去するものが広く知られている。この種の排煙脱硫装置によれば、上記排ガス中に含まれる亜硫酸ガスのうちの概ね９０〜９５％を除去することができる。
ところが、上記排ガスは全体としての排出量が極めて大きいために、５〜１０％とは言え、その総量を考慮すると除去されずに大気に放出された上記亜硫酸ガスが大気中の亜硫酸ガス濃度に影響を与えることは否定し得ない。このため、近年においては、酸性雨対策等の環境保全からの強い要請により、大気に放出する上記亜硫酸ガスの総量を規制すべく、上記排ガスからより一層の亜硫酸ガスを除去し得る排煙脱硫装置の開発が望まれている。
【０００３】
そこで、本発明者等は、かかる要請に基づき鋭意研究を重ねた結果、これまで専ら吸着剤として用いられていた活性炭のうち、所定の特性を有するものによれば、特に排ガス中の亜硫酸ガスの濃度が１００ｐｐｍ以下の条件下において、これが触媒として作用することによって上記亜硫酸ガスが酸素により酸化され、当該排ガス中の水分により希硫酸となって除去することができ、よって再生操作を要することなく長期間にわたって高い脱硫率が得られるという知見を得、この知見に基づいて、先に特願平６−６０３３４号において提案した脱硫方法を開発するに至った。
図１９は、このような脱硫方法を実施するための脱硫装置の一例を示すもので、図中符号１が、内部に上記活性炭層２が設けられた活性炭充填塔である。この活性炭充填塔１の上部には被処理ガスの供給管３が接続され、下部側壁には排出管４が接続されている。また、上記活性炭充填塔１の下部は、生成された希硫酸の収納部５とされており、その底部には希硫酸の排出管６が設けられている。また、上記活性炭層２の上方には、当該活性炭層２を洗浄するための洗浄液スプレー管７が配設されている。
【０００４】
上記構成からなる脱硫装置を用いて、１００ｐｐｍ以下の低濃度の亜硫酸ガスを含む被処理ガスから当該亜硫酸ガスを脱硫するには、上記被処理ガスを供給管３から活性炭充填塔１内に導入し、活性炭層２を通過させるとともに、これと並行して洗浄液スプレー管７から洗浄液を上記活性炭層２の上面に向けて散布する。すると、被処理ガスは、活性炭層２において活性炭の触媒作用により、当該被処理ガス中に含まれる亜硫酸ガス（ＳＯ2）が活性炭表面において酸化されてＳＯ3になり、さらにこのＳＯ3が活性炭表面に吸着された被処理ガス中の水分によって、Ｈ2ＳＯ4になるとともに希釈されて希硫酸となり、下方の収納部５に流下して排出管６から塔外に排出される。他方、上記活性炭層２において亜硫酸ガスが除去された被処理ガスは、排出管４から排気されるとともに、上記被処理ガスに同伴して活性炭層２に捕集された固体微粒子は、洗浄液スプレー管７からの洗浄液とともに上記収納部５に流下し、希硫酸とともに排出される。
【０００５】
したがって、このような脱硫方法によれば、活性炭を吸着剤としてではなく、触媒として用いているので、再生を目的とした加熱還元除去や水洗、乾燥等の処理を要することなく、このような低濃度の亜硫酸ガスを含む被処理ガスから長時間にわたって連続的に高い効率で当該亜硫酸ガスを除去することができるという利点がある。
このため、当該脱硫方法を、従来の排煙脱硫装置において吸収液によって脱硫され、亜硫酸ガス濃度が１００ｐｐｍ以下になった一次処理ガスの二次脱硫処理として用いれば、装置の極端な大型化や必要動力の大幅な増加を招くことなく、経済的に、かつ高い効率で排ガス中に含まれる亜硫酸ガスを除去することが可能となるのである。
【０００６】
【発明が解決しようとする課題】
ところが、当該脱硫方法を実施するために、図１９に示したような、脱硫装置を使用しようすると、活性炭層２における一次処理ガスの通過断面積が小さいため、多量の一次処理ガスと活性炭とを充分に接触させるためには、いきおい活性炭層２の高さ寸法を大きくする必要があり、この結果当該活性炭層２における一次処理ガスの圧力損失が大きくなって、上記一次処理ガスを送気するための送気ファンの大型化を招き、よって装置全体の消費動力が増加してしまうという問題点があった。
このため、上記圧力損失を抑えるために、活性炭層２を厚さ寸法が小さく、かつ通過断面積が大きい薄板状に形成することも考えられるが、上記脱硫装置として広い面積を必要とすることになり、よって装置が極めて大型化してしまうという問題点があった。
【０００７】
本発明は、活性炭層を用いた前記脱硫方法が有する利点を生かし、かつ上述したような脱硫装置が有する課題を有効に解決すべくなされたもので、装置の大型化や動力消費の増大を招くことなく、被処理ガスから高い効率で亜硫酸ガスを除去することができる活性炭触媒を用いた反応装置およびこれを組み込んだ排煙脱硫装置並びに脱硫方法を提供することを目的とするものである。
【０００８】
【課題を解決するための手段】
請求項１に記載の本発明に係る活性炭触媒反応装置は、１００ｖｏｌｐｐｍ以下の亜硫酸ガスと、酸素および水分とを含む被処理ガスから上記亜硫酸ガスを除去する活性炭触媒反応装置であって、接触硫酸化速度Ｒが５μｍｏｌ／ｇ／ｈr 以上である活性炭が充填され、それぞれの長手方向の側壁を被処理ガスの流れ方向に沿わせて当該流れ方向と交差する方向に複数配設され、かつ上記側壁と交差する厚さ方向に被処理ガスが通過するように設けられた活性炭触媒層と、この活性炭触媒層で上記活性炭を触媒とする亜硫酸ガスと酸素との接触酸化反応により生成した希硫酸を連続的に排出する希硫酸回収手段とを備えてなることを特徴とするものである。
【０００９】
ここで、請求項２に記載の発明は、上記請求項１に記載の活性炭が、ヤシ殻活性炭、木材からの活性炭、コールタール系ピッチからの活性炭、石油ピッチからの活性炭、石炭からの活性炭および活性コークスから選択される一種または複数種からなり、かつ接触硫酸化速度Ｒが５μｍｏｌ／ｇ／ｈr 以上であることを特徴とするものである。なお、上記活性炭の特性を規定する接触硫酸化速度Ｒとは、活性炭単位質量当たりの希硫酸の生成速度をいうものである。
【００１０】
また、請求項３に記載の発明は、請求項１または２に記載の発明において、活性炭触媒層として、各々の厚さ寸法が０．２〜２ｍで、かつ通過する被処理ガスの空塔速度が０．１〜２．０ｍ／ｓである断面積を有するものを、上記被処理ガスの流れ方向と交差する方向に互に並行に配設したことを特徴とするものであり、さらに、請求項４に記載の発明は、請求項１ないし３のいずれかに記載の活性炭が、最大外形寸法が０．１〜２０ｍｍであることを特徴とするものである。
【００１１】
また、請求項５に記載の発明は、上記請求項１〜４のいずれかに記載の各活性炭触媒層として板状のものを用い、隣接する活性炭触媒層の流れ方向の先端側端部間および基端側端部間に、交互に当該端部間を閉塞する仕切板を設けたことを特徴とするものである。この際に、請求項６に記載の発明は、上記請求項５に記載の活性炭触媒層が、被処理ガスの流れ方向に沿って上記側壁を上下方向に向けて配設されており、かつ上記希硫酸回収手段が、活性炭触媒層の下端部同士を連結する仕切板に形成されて希硫酸を集液する樋状部と、この樋状部で集液された上記希硫酸を排出する流下管とを備えてなることを特徴とするものであり、他方請求項７に記載の発明は、上記請求項５に記載の活性炭触媒層が、上記流れ方向に沿って側壁を水平方向に向けて配設されており、かつ上記希硫酸回収手段が、上記活性炭触媒層の下面側下方に設けられて希硫酸を集液する受皿と、この受皿で集液された上記希硫酸を排出する流下管とを備えてなることを特徴とするものである。
【００１２】
さらに、請求項８に記載の発明は、上記請求項５に記載の各活性炭触媒層として円筒状のものを用い、その側壁を上記流れ方向に沿わせて配設するとともに、上記流れ方向の基端側を開口させ、かつ先端面を閉塞したことを特徴とするものである。
そして、請求項９に記載の発明は、上記請求項１〜８のいずれかに記載の発明において、上記活性炭触媒層を洗浄する洗浄手段を設けたことを特徴とするものである。
【００１３】
次いで、請求項１０に記載の本発明に係る排煙脱硫装置は、排ガスを吸収部において吸収液と接触させて亜硫酸ガスを除去するとともに、当該排ガス中の亜硫酸ガスを吸収した上記吸収液を吸収液槽に貯留する湿式の排煙脱硫装置において、上記排ガス流路の上記吸収部の下流側に請求項１ないし９のいずれかに記載の活性炭触媒反応装置を設け、かつ上記活性炭触媒反応装置の希硫酸回収手段を、上記吸収液槽に導いたことを特徴とするものである。
上記請求項１０に記載の発明において、請求項１１に記載の発明は、上記活性炭触媒反応装置が、上記吸収部と吸収液槽とが設けられた吸収塔の排ガス出口側配管に接続されていることを特徴とするものであり、他方請求項１２に記載の発明は、上記活性炭触媒反応装置が、上記吸収部と吸収液槽とが設けられた吸収塔内に配設されていることを特徴とするものである。
【００１４】
また、請求項１３に記載の発明は、隔壁となる下部デッキおよび上部デッキにより、下部デッキの下方に位置する吸収液槽と、上下部デッキ間にあって排ガスダクトが接続された入口プレナムと、上部デッキ上方にあって排ガスダクトと連通する出口プレナムとに画成され、下部デッキに穿設された複数の開口部に、下端開口部が上記吸収液槽内の吸収液面より下方に位置し、かつ下端外周壁に排ガスの噴出孔が形成されたスパージャーパイプが垂設されるとともに、下部デッキと上部デッキとの間に、上記吸収液槽の吸収液面上の空間を出口プレナム側に連通させるガスライザーが配設された反応槽を有する排煙脱硫装置において、上記出口プレナム内に上記請求項１ないし９のいずれかに記載の活性炭触媒反応装置を設け、かつ上記希硫酸回収手段を上記吸収液槽に導いたことを特徴とするものである。
【００１５】
そして、請求項１４に記載の発明は、上記請求項１０〜１３のいずれかに記載の活性炭触媒層を洗浄する洗浄手段を設け、この洗浄手段における洗浄液が、上記吸収液槽内の吸収液石膏スラリーを脱水して得られた母液を、上記吸収塔へ戻すための吸収液戻りラインから供給されていることを特徴とするものである。
【００１６】
次に、請求項１５に記載の本発明に係る脱硫方法は、１００ｖｏｌｐｐｍ以下の亜硫酸ガスと、酸素および水分とを含む被処理ガスを、接触硫酸化速度Ｒが５μｍｏｌ／ｇ／ｈr 以上である活性炭が充填され、それぞれの長手方向の側壁を上記被処理ガスの流れ方向に沿わせて当該流れ方向と交差する方向に複数配設された活性炭触媒層の上記側壁と交差する厚さ方向に、接触脱硫率Ｙが少なくとも８０％となるように通過させることにより、上記活性炭触媒層において亜硫酸ガスと酸素とを接触酸化させて三酸化イオウに変換させるとともに、この三酸化イオウを水分と反応させて希硫酸を生成させ、得られた上記希硫酸を上記活性炭触媒層から連続的に分離することを特徴とするものである。
【００１７】
ここで、請求項１６に記載の発明は、上記請求項１５に記載の活性炭として、ヤシ殻活性炭、木材からの活性炭、コールタール系ピッチからの活性炭、石油ピッチからの活性炭、石炭からの活性炭および活性コークスから選択される一種または複数種からなり、かつ接触硫酸化速度Ｒが５μｍｏｌ／ｇ／ｈr 以上であるものを用いることを特徴とするものである。
また、請求項１７に記載の発明は、請求項１５または１６に記載の被処理ガスを、上記活性炭触媒層に接触脱硫率Ｙが少なくとも８０％となるように通過させることを特徴とするものである。
【００１８】
さらに、請求項１８に記載の発明は、被処理ガスに吸収液を接触させて得られた１００ｖｏｌｐｐｍ以下の亜硫酸ガスと、酸素および水分とを含む一次処理排ガスを、上記請求項１５ないし１７のいずれかに記載の脱硫方法によって二次脱硫処理するとともに、これと並行して上記二次脱硫処理において生成した希硫酸を、上記一次処理において上記被処理ガス中の亜硫酸ガスを吸収した吸収液を貯留する吸収液槽に導入することを特徴とするものである。
ここで、請求項１９に記載の発明は、上記請求項１８に記載の吸収液が、石灰石の水性スラリー液であり、上記吸収液槽において、上記吸収液と亜硫酸ガスとの反応によって得られた中和物を酸化して石膏を生成させることを特徴とするものである。
【００１９】
また、上記請求項１８または１９に記載の発明において、請求項２０に記載の発明は、上記活性炭触媒層を、水で洗浄するとともに、洗浄後の排液を上記吸収液槽に導入することを特徴とするものであり、請求項２１に記載の発明は、上記活性炭触媒層を、上記吸収液槽内の吸収液石膏スラリーを脱水して得られた母液もしくは上記母液と水との混合液で洗浄するとともに、洗浄後の排液を上記吸収液槽に導入することを特徴とするものである。
【００２０】
【作用】
請求項１に記載の活性炭触媒反応装置およびこれを用いた請求項１４に記載の脱硫方法によれば、１００ｖｏｌｐｐｍ以下の亜硫酸ガスと、酸素および水分とを含む被処理ガスを、複数の活性炭触媒層の厚さ方向に通過させることにより、活性炭の触媒作用により、上記活性炭触媒層において亜硫酸ガスが酸素により接触酸化されて三酸化イオウに変換し、さらにこの三酸化イオウが水分と反応して希硫酸が生成する。そして得られた希硫酸は、上記希硫酸回収手段によって活性炭触媒層から連続的に分離されてゆく。
ここで、上記被処理ガスにおける亜硫酸ガス濃度を１００ｖｏｌｐｐｍ以下としたのは、例えば１，０００ｐｐｍ程度の高濃度の亜硫酸ガスを含む被処理ガスを上記活性炭触媒層に通過させると、上記活性炭触媒層が吸着剤として作用し、この結果図２０に示すように、流通開始時においては１００％の脱硫率を示すものの、開始直後に破過して経時的に当該脱硫率が極端に低下してしまうのに対し、上記亜硫酸ガス濃度を１００ｐｐｍ以下の低濃度とすると、図２１に示すように、上記活性炭の触媒としての機能が発揮されて、脱硫率が１００％から若干低下した後も、１，０００時間以上という長期間にわたって所定の高い脱硫率を保持することができるからである。
【００２１】
本明細書において上記接触脱硫率Ｙとは、図２０および図２１において上記活性炭の触媒作用によって達成される脱硫率Ｙをいうものであり、前述した課題に対応する所望の脱硫効果を得るための当該接触脱硫率Ｙを得るための活性炭量等を設定すればよい。このような接触脱硫率Ｙは、図２２に示すように、被処理ガス中の亜硫酸ガス濃度に依存するものであり、当該亜硫酸濃度が低下するにしたがって大幅に増加する。このため、本発明においては、上記亜硫酸ガスの濃度として１００ｖｏｌｐｐｍ以下と規定したのである。
【００２２】
ちなみに、この接触脱硫率Ｙは、活性炭触媒層に対する被処理ガスの供給速度や、被処理ガスの供給量に対する活性炭触媒層の容量により適宜制御することが可能であり、請求項１７に記載の発明のように、上記被処理ガスを活性炭触媒層に上記接触脱硫率Ｙが少なくとも８０％となるように通過させることが好ましい。
【００２３】
また、上記活性炭としては、請求項２または請求項１６に記載の発明のように、ヤシ殻活性炭、木材からの活性炭、コールタール系ピッチからの活性炭、石油ピッチからの活性炭、石炭からの活性炭および活性コークスから選択される一種または複数種からなるものが使用可能であり、上述したように上記活性炭の特性を規定する接触硫酸化速度Ｒとは、活性炭単位質量当たりの希硫酸の生成速度をいうものであって、上記活性炭の種類によって異なる活性炭固有の特性値であるが、個々の活性炭に付き脱硫実験を行なうことによって求めることができるものである。請求項１または１５に記載の本発明のように、被処理ガスを活性炭触媒層の活性炭と接触させて脱硫する場合には、上記接触硫酸化速度Ｒが大きい活性炭を選定することが重要であり、通常５μｍｏｌ／ｇ／ｈr 以上、好ましくは１０μｍｏｌ／ｇ／ｈr 、さらに好ましくは２０μｍｏｌ／ｇ／ｈr 以上の値の活性炭を使用することが望ましい。
【００２４】
またこの際に、上記活性炭触媒反応装置および脱硫方法にあっては、上記被処理ガスを、その長手方向の側壁を流れ方向に沿わせて複数配設された活性炭触媒層の上記側壁と交差する厚さ方向に通過させているので、狭いスペース内において大きな通過断面積を確保することができ、よって装置の大型化を招来すること無く被処理ガスと活性炭との接触作用を増大させることができるとともに、上記厚さ寸法を小さく設定することにより、当該活性炭触媒層を通過する際の被処理ガスの圧力損失を大幅に低減化させることが可能となる。
【００２５】
このような観点から、上記活性炭触媒層としては、請求項３に記載の発明のように、各々の厚さ寸法が０．２〜２ｍで、かつ通過する被処理ガスの空塔速度が０．１〜２．０ｍ／ｓである断面積を有するものを用いることが好ましい。ちなみに、上記厚さ寸法が０．２ｍに満たないと、通過時の圧力損失は極めて低いものの、偏流による充分な活性炭との接触、延いては当該活性炭の触媒作用による亜硫酸ガスと酸素との反応および水分による希硫酸化が行なわれないためであり、他方上記寸法が２ｍを超えた場合や、通過する被処理ガスの空塔速度が２．０ｍ／ｓを超えた場合には、上記圧力損失が大きくなって送気ファン等の動力の増大を招いて好ましくないからである。
【００２６】
さらに、上記活性炭触媒層を構成する活性炭としては、請求項４に記載の発明のように、最大外形寸法が０．１〜２０ｍｍであるものを用いることが好適である。上記活性炭の最大外径寸法が０．１ｍｍに満たないと、活性炭触媒層で生成した希硫酸が当該活性炭触媒層から外に流出し難くなるとともに、通過する被処理ガスの圧力損失が増加して好ましくないからであり、他方上記寸法が２０ｍｍを超えると、活性炭触媒層内における被処理ガスとの接触面積が小さくなって反応効率が低下する虞があるからである。
【００２７】
このような触媒層としては、請求項５に記載の発明のように板状のものを用いることができ、この場合には、隣接する活性炭触媒層の流れ方向の先端側端部間および基端側端部間に、交互に当該端部間を閉塞する仕切板を設ければ、被処理ガスは、隣接する活性炭触媒層の開口している基端側端部の間から上記活性炭触媒層の側壁間に流入するとともに、先端部を閉塞する仕切板によって流れが阻止され、この結果全ての被処理ガスが各活性炭触媒層をその厚さ方向に通過して上述した活性炭との接触作用が行なわれる。
この際に、請求項６に記載の発明のように、上記活性炭触媒層を上下方向に向けて配設した場合には、活性炭触媒層で生成されて流下する希硫酸は、活性炭触媒層の下端部同士を連結する仕切板の樋状部で集液されて、流下管から排出される。また、請求項７に記載の発明のように、活性炭触媒層を水平方向に配設した場合には、活性炭触媒層で生成されて流下する希硫酸は、各活性炭触媒層の下面側下方に設けられた受皿に集液されて、同様に流下管から排出される。
【００２８】
また、上記活性炭触媒層としては、請求項８に記載の発明のように、円筒状のものを用いてもよく、この場合には、被処理ガスの流れ方向の基端側を開口させて先端面を閉塞すれば、上記被処理ガスは、上記開口から内周部に流入し、閉塞された先端によって流れが阻止されて、全ての被処理ガスが各活性炭触媒層をその厚さ方向に通過し、上述した活性炭との接触作用が行なわれる。
なお、請求項９に記載の発明によれば、上記活性炭触媒層における亜硫酸ガスの除去と並行して、上記被処理ガスに同伴して活性炭触媒層に捕集された固体微粒子も、洗浄液とともに流下して希硫酸とともに排出される。
【００２９】
次いで、請求項１０に記載の排煙脱硫装置およびこれを用いた請求項１８に記載の脱硫方法によれば、従来の湿式の排煙脱硫装置によって吸収液により亜硫酸ガスが１００ｖｏｌｐｐｍ以下まで除去された一次処理排ガスを、上記請求項１〜８のいずれかに記載の活性炭触媒反応装置に送ることにより、さらに当該排ガス中の亜硫酸ガスが除去される。この際に、上記一次処理において排ガスに吸収液中の水分が加えられるため、上記活性炭触媒反応装置において希硫酸が生成し易くなり、しかもその流下が円滑に行なわれる。以上の結果、装置の大型化や動力消費の増大を招くことなく、多量の排ガスから極めて高い効率で亜硫酸ガスを除去することが可能となる。
【００３０】
なお、上記活性炭触媒反応装置は、請求項１１に記載の発明のように吸収塔とは別体にして設けてもよく、あるいは請求項１２に記載の発明のように上記吸収塔内に配設してもよい。特に、上記吸収塔内に設けた場合には、装置全体のより一層のコンパクト化を図ることが可能となる。ここで、上記活性炭触媒反応装置を吸収塔内に配設した場合に、上記吸収塔の形状としては、丸型および角型共に適用が可能であるが、角型のものを用いることが好ましい。
【００３１】
一方、上記活性炭触媒反応装置において生成した希硫酸は、上記排煙脱硫装置の吸収液を貯留する吸収液槽に排出される。ここで、上記排煙脱硫装置が、例えば吸収液として水酸化マグネシウム（Ｍｇ（ＯＨ）2）を用いたものである場合や、ＮａＯＨ、Ｎａ2ＣＯ3を用いた場合には、上記希硫酸（Ｈ2ＳＯ4）を加えることにより無害な硫酸マグネシウム（ＭｇＳＯ4）等として固定されるために、いずれも海等へ放流処分することが可能となる。
また、請求項１９に記載の発明のように、上記吸収液が石灰石（ＣａＣＯ3）の水性スラリー液である場合には、上記希硫酸を吸収液槽に導入することにより、当該吸収液槽内における吸収液と亜硫酸ガスとの中和物を酸化して石膏を生成させる反応が促進される。
【００３２】
さらに、請求項１３に記載の発明によれば、排ガスを入口プレナムに送気すると、当該排ガスは、各スパージャーパイプの下端から噴出し、吸収液と激しく混合して液相連続のジェットバブリング層を形成し、このジェットバブリング層において高効率な気液接触が行われ、排ガス中に含まれるＳＯ2が酸化されるとともに、吸収液中の石灰石によって中和されるといった、
ＳＯ2＋ＣａＣＯ3＋１／２Ｏ2＋２Ｈ2Ｏ → ＣａＳＯ4・２Ｈ2Ｏ↓＋ＣＯ2↑
で示される反応が一挙に行われて、上記ＳＯ2が吸収・除去される。
そして、このようにして、極めて低い亜硫酸ガス濃度とされた一次処理排ガスは、ガスライザーを介して出口プレナムに集められ、上記活性炭触媒反応装置においてさらに残存した亜硫酸ガスが除去される。この際に、一次処理排ガスは、上記ジェットバブリング層における気液接触により、ほぼ水分飽和状態となって活性炭触媒反応装置に送られるため、上述した希硫酸の生成・流下がより一層円滑に行なわれる。
【００３３】
また、請求項１４、２０または２１に記載の発明によれば、活性炭触媒層を洗浄しているので、被処理ガスに同伴して活性炭触媒層に捕集された固体微粒子も洗浄液とともに排出される。
特に、洗浄液として、上記吸収液槽内の吸収液石膏スラリーを脱水して得られた母液を用いれば、装置全体の水バランスを損うこと無く上記活性炭触媒層の洗浄を行なうことができて好適である。
【００３４】
【実施例１】
図１および図２は、本発明の活性炭触媒反応装置を組み込んだ排煙脱硫装置の第１実施例を示すもので、この排煙脱硫装置においては、ボイラー（図示せず）の排ガスダクト１１の下流側に向けて、ガスヒータ１２と、排ガス内に含まれる塵埃分を捕集するとともに排ガスの増湿冷却を行なう除塵塔１３と、この排煙脱硫装置の主要部を構成する吸収塔１４とが順次配設されている。
上記吸収塔１４には、除塵塔１３から導入された排ガスに、内部の酸化槽（吸収液槽）１５に貯留されている石灰石の水性スラリー液からなる吸収液を散布して接触させるための、ポンプ１６および吸収液散布ライン１７と、上記酸化槽１５で吸収液と亜硫酸ガスとの中和物を酸化するための空気を導入する酸化用ブロワ１５ａおよび酸化槽１５の吸収液を攪拌する攪拌機（図示せず）とが設けられている。そして、この吸収塔１４内の吸収液散布ライン１７が位置する吸収部３１の上方に、活性炭触媒反応装置１８が配設されている。
【００３５】
この活性炭触媒反応装置１８は、図２に示すように、側壁を上下方向に向けて、水平方向に互に並行に配設された複数の活性炭触媒層１９…によって構成されたものである。ここで、各活性炭触媒層１９は、耐食性を有する金属棒からなる枠体内に袋状の網を入れ、この網内に活性炭を充填したものであり、その厚さ寸法が０．２〜２ｍで、かつ通過する被処理ガスの空塔速度が０．１〜２．０ｍ／ｓである断面積を有するように形成されている。
上記活性炭触媒層１９を構成する活性炭としては、ヤシ殻活性炭、木材からの活性炭、コールタール系ピッチからの活性炭、石油ピッチからの活性炭、石炭からの活性炭等の各種の活性炭の他、活性コークス等が使用可能であるが、特に前述した接触硫酸化速度Ｒが５μｍｏｌ／ｇ／ｈr 以上、好ましくは１０μｍｏｌ／ｇ／ｈr 、さらに好ましくは２０μｍｏｌ／ｇ／ｈr 以上の値のものが使用される。ちなみに、このような活性炭としては、例えば東洋カルゴン社製の活性炭（商品名：Ｆ３０／４７０）、ツルミコール社製の活性炭（商品名：４ＧＶ）、クラレケミカル社製の活性炭（商品名：４ＧＳ）等が挙げられる。
【００３６】
また、上記活性炭の形状は、円柱状、円筒状、顆粒状、球状、ハニカム状等の各種の形状のものを用いることができ、最大外形寸法、すなわち顆粒状や球状のものにあっては、その直径が０．１〜２０ｍｍ、好ましくは１〜１０ｍｍであり、円柱状や円筒状のものにあっては、その長さ寸法が０．１〜２０ｍｍ、好ましくは１〜１０ｍｍのものが用いられる。
そして、隣接する上記活性炭触媒層１９の上端部間には、一組みおきにこれら上端部間を閉塞する上部仕切板２０が設けられ、さらに上部仕切板２０が設けられていない下端部間には、樋状部２１ａが形成された下部仕切板２１が設けられている。これら上下部仕切板２０、２１は、ＦＲＰや耐食性を有する金属板等からなるものであり、上記樋状部２１ａは、一端部が下方に位置するように傾斜して形成されるとともに、この傾斜端部に、集液された希硫酸を上記酸化槽１５内に導くため流下管２２が接続されている。そして、上記樋状部２１ａおよび流下管２２により、希硫酸回収手段が構成されている。
【００３７】
また、上記吸収塔１４には、酸化槽１５で生成された吸収液石膏スラリーをポンプ２３によって抜き出し、石膏分離機２４で脱水して母液タンク２５に貯留された母液を、ポンプ２６を介して再び吸収塔１４へ戻すための吸収液戻りライン２７が設けられており、この吸収液戻りライン２７の先端部に、上記活性炭触媒層１９を洗浄するためのスプレーノズルを有する洗浄装置（洗浄手段）３２が設けられている。
なお、図中符号２８は、石灰石の水性スラリー液タンク２９からポンプ３０を介して吸収塔１４内に吸収液を供給あるいは補給するための吸収液供給ラインであり、符号３３は、吸収塔１４の被処理ガス出口側に設けられたミストエリミネータである。
【００３８】
次に、以上の構成からなる排煙脱硫装置を用いた本発明に係る脱硫方法の一実施例について説明する。
ボイラの排ガスを、排ガスダクト１１から除塵塔１３を介して吸収塔１４内に送気し、吸収塔１４内の吸収部３１において吸収液散布ライン１７から散布される吸収液と接触させる。すると、排ガスは、上記吸収液によって亜硫酸ガスが中和されて、その９０〜９５％が吸収・除去された１００ｖｏｌｐｐｍ以下の亜硫酸ガス濃度の一次処理排ガスとなって上方の活性炭触媒反応装置１８へと流れるとともに、亜硫酸ガスを中和した中和物質は酸化槽１５内で酸化されることにより吸収液石膏スラリーが生成される。
次いで、上記活性炭触媒反応装置１８へ流れた一次処理排ガスは、図２に矢印で示すように、隣接する活性炭触媒層１９の開口している下端部の間から上記活性炭触媒層１９の側壁間に流入する。ところが、上記側壁間の上端部は、上部仕切板２０によって閉塞されているために側壁間を通過することができず、この結果全ての一次処理排ガスは、各活性炭触媒層１９をその厚さ方向に通過して活性炭と接触する。この結果、上記活性炭の触媒作用により、活性炭触媒層１９において残存していた亜硫酸ガスが酸素により接触酸化されて三酸化イオウに変換し、さらにこの三酸化イオウが当該活性炭表面に吸着された一次処理排ガス中の水分と反応して希硫酸が生成する。そして得られた希硫酸は、連続的に流下して下部仕切板２１の樋状部２１ａに集液され、この樋状部２１ａの傾斜に沿って流れて流下管２２から酸化槽１５内に導入される。
【００３９】
また、上記一次処理排ガスの供給と並行して、洗浄装置３２により吸収液戻りライン２７から供給される吸収液によって、活性炭触媒層１９を間欠的に、あるいは連続して洗浄することにより、一次処理排ガスに同伴して活性炭触媒層１９に捕集された固体微粒子を洗浄・排出する。
なお、上述した排煙脱硫装置を用いて排ガスを脱硫処理するに際しては、予め活性炭触媒層１９に対する一次処理排ガスの供給速度や、一次処理排ガスの供給量に対する活性炭触媒層１９の容量を、上記活性炭触媒反応装置における接触脱硫率Ｙが少なくとも８０％以上となるように適宜選択しておくことが好ましい。また、上記一次処理排ガス中の酸素濃度は、０．１ｖｏｌ％以上、好ましくは１ｖｏｌ％以上、さらに好ましくは２ｖｏｌ％以上であり、水蒸気濃度は、相対濃度で５〜１００％、好ましくは４０〜１００％、さらに好ましくは７０〜１００％である。
【００４０】
このような排煙脱硫装置およびこれを用いた脱硫方法によれば、湿式の石灰石−石膏法排煙脱硫装置によって吸収液により亜硫酸ガスが１００ｖｏｌｐｐｍ以下まで除去された一次処理排ガスを、上記活性炭触媒反応装置１８に送ることにより、さらに残存した排ガス中の亜硫酸ガスの８０％以上を除去することができるため、装置の大型化や動力消費の増大を招くことなく、多量の排ガスから極めて高い効率で亜硫酸ガスを除去することができる。
加えて、上記一次処理において排ガスに吸収液中の水分が加えられるため、上記活性炭触媒反応装置１８において希硫酸が生成し易くなり、しかも各活性炭触媒層１９の下部仕切板２１に傾斜する樋状部２１ａを形成しているので、活性炭触媒層１９で生成した上記希硫酸を、円滑に酸化槽１５内に流下させてその分離および排出を達成することができる。
【００４１】
さらに、活性炭触媒層１９の洗浄液として、酸化槽１５内の吸収液石膏スラリーを脱水して得られた母液を用いているので、装置全体の水バランスを損うこと無く上記活性炭触媒層１９の洗浄を行なうことができる。この際に、上記洗浄の頻度としては、連続であっても間欠的であってもよく、間欠的に行う場合には、上記活性炭触媒層１９における差圧の上昇や脱硫性能の低下を検出して洗浄する方法が採用可能である。
また、活性炭触媒反応装置１８を吸収塔１４内に一体的に配設しているので、配管系統も含めて装置全体の大型化および複雑化等を招く虞もない。
【００４２】
図３および図４は、本発明に係る排煙脱硫装置を上記第１実施例と同様の湿式の石灰石−石膏法排煙脱硫装置に適用した変形例を示すもので、これらの排煙脱硫装置においても、第１実施例と同様にして吸収部３１と酸化槽（吸収液槽）１５とが設けられた吸収塔１４内の、排ガス流路の上記吸収部３１の下流側に、上記活性炭触媒反応装置１８が配設され、かつ上記活性炭触媒反応装置１８で生成した希硫酸を流下管２２を介して上記酸化槽１５に導くようになっている。
このような排煙脱硫装置によっても、上記第１実施例と同様の作用効果を得ることができる。
【００４３】
【実施例２】
図５は、本発明の排煙脱硫装置をジェットバブリング式の反応槽を有する排煙脱硫装置に適用した第２実施例を示すもので、図中符号３５がこの排煙脱硫装置の反応槽（吸収塔）である。なお、上記反応槽３５以外の構成については、図１に示したものと同様であるために同一符号を用いてその説明を省略する。
この反応槽３５内は、隔壁となる下部デッキ３６および上部デッキ３７により、下部デッキ３６の下方に位置して石灰石の水性スラリーからなる吸収液を貯留する吸収液槽３８と、上下部デッキ３６、３７間にあって排ガスダクト１１の入口側が接続された入口プレナム３９と、上部デッキ３７上方にあって排ガスダクト１１の出口側と連通する出口プレナム４０とに画成され、下部デッキ３６に穿設された多数の開口部に、下端開口部が上記吸収液槽３８内の吸収液面より下方に位置し、かつ下端外周壁に排ガスの噴出孔が形成されたスパージャーパイプ４１が垂設されるとともに、下部デッキ３６と上部デッキ３７との間に、上記吸収液槽３８の吸収液面上の空間を出口プレナム４０側に連通させるガスライザー４２が配設されたもので、上部デッキ３７上方の上記出口プレナム４０内に、上述した活性炭触媒反応装置１８が設けられている。
そして、上記活性炭触媒反応装置１８の希硫酸の流下管２２は、吸収液槽３８に導入されており、さらに活性炭触媒層１９の上方には、第１実施例と同様にして、当該活性炭触媒層１９を洗浄するための吸収液戻りライン２７から枝配管された洗浄装置（図示を略す）が設けられている。なお、図中符号４３は、図１においては図示を略した攪拌機を示すものである。
【００４４】
以上の構成からなる排煙脱硫装置においては、酸化用ブロワ１５ａで石灰石の水性スラリー液からなる吸収液中に酸素を供給し、かつ攪拌機４３で吸収液槽３８内を攪拌しつつ排ガスダクト１１から排ガスを反応槽３５の入口プレナム３９に送気すると、当該排ガスは、各スパージャーパイプ４１の下端から噴出し、吸収液と激しく混合して液相連続のジェットバブリング層（吸収部）を形成する。そして、このジェットバブリング層において高効率な気液接触が行われ、排ガス中に含まれる亜硫酸ガス（ＳＯ2）が酸化されるとともに、吸収液中の石灰石によって中和される反応が行われて、上記亜硫酸ガスが吸収・除去され、亜硫酸ガス濃度が１００ｖｏｌｐｐｍ以下の一次処理排ガスとなる。
そして、このようにして、極めて低い亜硫酸ガス濃度とされた一次処理排ガスは、ガスライザー４２を介して出口プレナム４０に集められ、前述した第１実施例と同様にして、上記活性炭触媒反応装置１８においてさらに残存した亜硫酸ガスが除去される。また、活性炭触媒層１９において生成された希硫酸は、流下管２２から吸収液槽３８内に導入される。
【００４５】
したがって、この排煙脱硫装置およびこれを用いた脱硫方法によっても、第１実施例のものと同様の作用効果を得ることができるうえ、さらに一次処理排ガスは、上記ジェットバブリング層における高効率な気液接触により、より多くの亜硫酸ガスが吸収・除去されて低濃度の一次処理ガスになるとともに、上記気液接触により、ほぼ水分飽和状態となって活性炭触媒反応装置１８に送られるため、活性炭触媒反応装置１８において、より高い接触脱硫効率Ｙで残存した亜硫酸ガスを除去することができるうえ、さらに前述した希硫酸の生成・流下をより一層円滑に行うことができるといった利点がある。この結果、ジェットバブリング層による高効率の脱硫作用と相俟って、より高い亜硫酸ガスの除去効果を得ることが可能となる。
【００４６】
【実施例３】
図６〜図８は、本発明の活性炭触媒反応装置およびこれを用いた排煙脱硫装置の第３実施例を示すもので、図１〜図５に示したものと同一構成部分には同一符号を付して、その説明を省略する。
図６において、この排煙脱硫装置においては、図５に示した反応槽３５の出口プレナム４０に、活性炭触媒反応装置１８に代えて活性炭触媒反応装置４５が配設されている。この活性炭触媒反応装置４５は、図７および図８に示すように、希硫酸受液部となる支持床４６上に、複数本の円筒状の活性炭触媒層４７…が立設されたもので、上記活性炭触媒層４７内には、第１実施例と同様の活性炭が充填されている。各活性炭触媒層４７は、内径と外径との差である厚さ寸法が０．２〜２ｍで、かつ通過する被処理ガスの空塔速度が０．１〜２．０ｍ／ｓである断面積を有するように形成されている。
【００４７】
そして、上記支持床４６には、各活性炭触媒層４７の内周部に連通する円形の開口部４８が穿設されており、他方、各活性炭触媒層４７の上端部には、これを閉塞する閉止板４９が固定されている。また、支持床４６の所定箇所には、当該支持床４６上に集液された希硫酸を吸収液槽３８内に導入するための流下管５０が垂設されている。以上の支持床４６および流下管５０により、希硫酸回収手段が構成されている。
【００４８】
上記構成からなる排煙脱硫装置においては、吸収液槽３８内のジェットバブリング層における気液接触によって亜硫酸ガスが吸収・除去され、亜硫酸ガス濃度が１００ｖｏｌｐｐｍ以下とされた一次処理排ガスは、ガスライザー４２を介して出口プレナム４０に集められ、支持床４６の開口部４８から活性炭触媒層４７の内周部に流入する。そして、上記活性炭触媒層４７の上端部は閉止板４９によって閉塞されているため、上記一次処理ガスは、その全てが活性炭触媒層４７をその径方向（厚さ方向）に通過し、前述した第２実施例と同様にして、活性炭の触媒作用によりさらに残存した亜硫酸ガスが除去される。また、活性炭触媒層４７において生成された希硫酸は、支持床４６上に集液されて流下管５０から吸収液槽３８内に導入される。さらに、これと並行して、洗浄装置３２により吸収液戻りライン２７から供給される吸収液によって、活性炭触媒層４７を間欠的に、あるいは連続して洗浄することにより、一次処理排ガスに同伴して活性炭触媒層４７に捕集された固体微粒子が洗浄・排出される。
このように、第３実施例の排煙脱硫装置およびこれを用いた脱硫方法によっても、第２実施例に示したものと同様の作用効果を得ることができる。
【００４９】
【実施例４】
図９および図１０は、本発明の活性炭触媒反応装置および排煙脱硫装置の第４実施例を示すもので、同様にして図１〜図８に示したものと同一構成部分については、同一符号を付してその説明を省略する。
この例の排煙脱硫装置においては、図６に示した反応槽３５の出口プレナム４０に、活性炭触媒反応装置４５に代えて活性炭触媒反応装置５５が配設されている。この活性炭触媒反応装置５５は、図１０に示すように、支持床５６に複数本の円筒状の活性炭触媒層５７…が下方に垂設されたもので、上記活性炭触媒層５７内には、第３実施例と同様の活性炭が充填されている。また各活性炭触媒層５７は、内径と外径との差である厚さ寸法が０．２〜２ｍで、かつ通過する被処理ガスの空塔速度が０．１〜２．０ｍ／ｓである断面積を有するように形成されている。
【００５０】
そして、上記支持床５６には、各活性炭触媒層５７の内周部に連通する円形の開口部５８が穿設されている。また、上記活性炭触媒反応装置４５の上方には、ミストセパレータ５９が設けられ、出口プレナム４０と連通する排ガスダクト１１の下流側には、デミスタ６０が介装されている。そして、上記支持床５６には、ミストセパレータ５９で除去された希硫酸を吸収液槽３８内に導入する希硫酸の降下管６１が設けられ、他方デミスタ６０には、ここで捕集された希硫酸ミストを同様に吸収液槽３８に戻すための降下管６２が配管されている。なお、ミストセパレータ５９とデミスタ６０とのどちらか一方のみを設けても同様の効果が得られる。
【００５１】
上記構成からなる排煙脱硫装置においては、吸収液槽３８内において亜硫酸ガスが吸収・除去され、亜硫酸ガス濃度が１００ｖｏｌｐｐｍ以下とされた一次処理排ガスは、ガスライザー４２を介して出口プレナム４０に集められ、活性炭触媒層５７をその外周から径方向（厚さ方向）に通過して、内周部から支持床５６の開口部５８を介して上方に流れる。この際に、活性炭触媒層５７の活性炭の触媒作用によりさらに残存した亜硫酸ガスが除去される。また、活性炭触媒層５７において生成された希硫酸は、そのまま下方に流下して上部デッキ３７上に集液され、図示されない降下管を介して吸収液槽３８に導入される。
そして、上記活性炭触媒反応装置５５において脱硫された処理排ガスは、さらにミストセパレータ５９およびデミスタ６０において同伴した一次処理に用いた吸収液ミストおよび希硫酸ミストが除去されるとともに、捕集された希硫酸は、降下管６１、６２から吸収液槽３８に導入される。したがって、第４実施例の排煙脱硫装置およびこれを用いた脱硫方法によっても、上述した各実施例に示したものと同様の作用効果を得ることができる。
【００５２】
【実施例５】
図１１および図１２は、本発明の活性炭触媒反応装置およびこれを用いた排煙脱硫装置に第５実施例を示すものである。
図１１および図１２に示すように、この例の排煙脱硫装置においては、反応槽３５の出口プレナム４０に接続された排ガスダクト１１の下流側に、ミストエリミネータ６３が介装され、さらにこの下流側に別体の活性炭触媒反応装置６５が配設されている。この活性炭触媒反応装置６５は、上端部に上記排ガスダクト１１が接続され、下部が希硫酸溜め６６とされた装置本体６７内に、多数の活性炭触媒層６８…が配設されるとともに、この装置本体６７の下部側壁に、清浄ガスの出口ダクト６９が接続されたものである。
【００５３】
すなわち、図１２に示すように、上記装置本体６７の上部に隔壁となる支持床７０が設けられ、この支持床７０に上記活性炭触媒層６８が垂設されている。この活性炭触媒層６８は、同様の活性炭が充填された円筒状のもので、その下端部には閉止板７１が固定されている。他方、支持床７０の各活性炭触媒層６８の上端部には、当該活性炭触媒層６８の内周部に連通する開口部７２が穿設されている。さらに、上記活性炭触媒層６８には、これを洗浄するための上述した洗浄装置３２が配設され、装置本体６７の下端部には、上記希硫酸溜め６６内の希硫酸を反応槽３５の吸収液槽３８内に導入するための移送管７３および移送ポンプ７４が配設されている。そして、上記希硫酸溜め６６、移送管７３および移送ポンプ７４により、希硫酸回収手段が構成されている。
【００５４】
上記構成からなる排煙脱硫装置によれば、反応槽３５で亜硫酸ガス濃度が１００ｖｏｌｐｐｍ以下まで脱硫された一次処理ガスは、ミストエリミネータ６３でミスト分が捕集された後に、排ガスダクト１１から活性炭触媒反応装置６５内に送気される。そして、上記一次処理ガスは、支持床７０の開口部７２から各活性炭触媒層６８内に流れ、これを径方向（厚さ方向）に通過して、同様に活性炭の触媒作用により残存していた亜硫酸ガスが除去されて出口ダクト６９から排気される。
この際に、各活性炭触媒層６８において生成された希硫酸は、そのまま下方に流下して希硫酸溜め６６に一旦貯留された後に、移送ポンプ７４によって移送管７３から反応槽３５の吸収液槽３８内に移送される。
このような排煙脱硫装置にあっては、同様の高い亜硫酸ガスの除去効果が得られる他、特に一次処理ガスが活性炭触媒層６８を上方から下方に向けて流れるために、当該一次処理ガスによって活性炭触媒層６８で生成される希硫酸の流下が促進され、よって希硫酸の円滑な分離を行なうことが可能となる。
【００５５】
なお、上記活性炭触媒反応装置の構成としては、上述したものに限るものではなく、例えば図１３に示した第１変形例のものや、図１４および図１５に示した第２変形例のものも適用可能である。
すなわち、図１３に示す活性炭触媒反応装置７５は、装置本体７６の下部に支持床７７を配設し、この支持床７７上に上端部に閉止板が固定された多数（図では３本を示す）の円筒状の活性炭触媒層７８…を立設するとともに、上記支持床７７に活性炭触媒層７８において生成されて支持床７７上に流下する希硫酸を下方の希硫酸溜め６６に導入するための流下管７９を設けたものである。
【００５６】
また、図１４および図１５に示す活性炭触媒反応装置８０は、装置本体８１の内部に図２に示した活性炭触媒反応層１９および上下部仕切板２０、２１と同様の構成のものを配設し、下部仕切板２１の樋状部２１ａに設けられた流下管２２を希硫酸溜め６６に導入したものである。
このような第１変形例および第２変形例に示した活性炭触媒反応装置７５、８０においても、第５実施例に示したものと同様に、一次処理ガスが活性炭触媒層７８、１９を上方から下方に向けて流れるために、当該一次処理ガスによって活性炭触媒層７８、１９で生成される希硫酸の流下が促進され、よって希硫酸の円滑な分離を行なうことができる。
【００５７】
【実施例６】
図１６および図１７は、本発明の活性炭触媒反応装置の第６実施例を示すもので、この例の活性炭触媒反応装置８５においては、一次処理ガスの流れ方向に沿って装置本体８６が水平方向に設置されており、この装置本体８６の両端部に、排ガスダクト１１および出口ダクト６９が接続されている。この装置本体８６内には、平板状の複数（図では３組）の活性炭触媒層８７が、その側壁を水平方向に向けて上下方向に並行に配設されている。そして、最下段の活性炭触媒層８７以外のものの下方には、それぞれ活性炭触媒層８７から流下する希硫酸を集液するための受皿８８が配設されており、各受皿８８には、この受皿８８で集液された希硫酸を装置本体８５の下部に設けられた受液槽８９に排出するための流下管９０が取付けられている。
ここで、一次処理ガスの流れ方向上流側に位置する図中右方の各活性炭触媒層８７の端部と受皿８８（最下段では受液槽８９）との間は、閉止板９１によって閉塞されており、他方上記流れ方向下流側に位置する活性炭触媒層８７の端部と上方に位置する受皿８８との間は、閉止板９２によって閉じられている。
【００５８】
このような活性炭触媒反応装置８５にあっては、亜硫酸ガス濃度が１００ｖｏｌｐｐｍ以下まで脱硫された一次処理ガスが排ガスダクト１１から装置本体８６内に流入すると、当該一次処理ガスは、活性炭触媒層８７と受皿８８との間から上記活性炭触媒層８７の側壁に沿って流れる。ところが、当該活性炭触媒層８７と受皿８８との他端部は、閉止板９２によって閉じられているため、上記一次処理ガスは、活性炭触媒層８７をその厚さ方向に通過し、内部の活性炭の触媒作用によって、同様に亜硫酸ガスが除去される。
そして、これに伴って活性炭触媒層８７に生成した希硫酸は、下方の受皿８８に流下して集液され、流下管９０を介して受液槽８９に排出される。また、最下段の活性炭触媒層８７において生成した希硫酸は、直接受液槽８９に流下する。さらに、受液槽８９内の希硫酸は、移送ポンプ７４によって移送管７３から前述した反応槽３５あるいは吸収塔１４の吸収液槽３８または酸化槽１５へと移送される。
【００５９】
【実施例７】
図１８は、本発明の排煙脱硫装置をジェットバブリング式の反応槽を有する排煙脱硫装置に適用した第２実施例の変形例である第７実施例を示すもので、図１ないし図５に示したものと同一構成部分については、同一符号を付してその説明を省略する。
図１８において、この例の排煙脱硫装置においては、反応槽（吸収塔）９５内が、隔壁となるデッキ９６により石灰石の水性スラリーからなる吸収液を貯留する吸収液槽９７と、排ガスダクト１１の入口側が接続された入口プレナム９８とに画成されるとともに、上記デッキ９６の中央部に開口部が形成され、この開口部に、上記吸収液槽９７の吸収液面上の空間を排ガスダクト１１の出口側に導く筒状のガスライザー９９が接続されている。そして、上記デッキ９６に穿設された多数の開口部に、下端開口部が上記吸収液槽９７内の吸収液面より下方に位置し、かつ下端外周壁に排ガスの噴出孔が形成されたスパージャーパイプ４１が垂設されている。
そしてさらに、上記ガスライザー９９内に、上述した活性炭触媒反応装置１８が設けられ、上記活性炭触媒反応装置１８の希硫酸の流下管２２は、吸収液槽９７に導入されている。
【００６０】
この例の排煙脱硫装置にあっては、反応槽９５の入口プレナム９８に送気された排ガスは、各スパージャーパイプ４１の下端から噴出し、吸収液と激しく混合して液相連続のジェットバブリング層（吸収部）を形成し、排ガス中に含まれる亜硫酸ガスが酸化されるとともに、吸収液中の石灰石によって中和される反応が行われて、上記亜硫酸ガスが吸収・除去され、亜硫酸ガス濃度が１００ｖｏｌｐｐｍ以下の一次処理排ガスとされた後に、中央のガスライザー９９に集められて内部の上記活性炭触媒反応装置１８を通過し、この活性炭触媒反応装置１８においてさらに残存した亜硫酸ガスが除去される。また、この際に活性炭触媒層１９において生成された希硫酸は、流下管２２から吸収液槽９７内に導入される。
【００６１】
したがって、上記排煙脱硫装置によれば、上記第２実施例を同様の作用効果が得られるうえ、さらに反応槽９５内に一のデッキ９６のみが設けられた構造であるために、当該反応槽９５の構造を一層簡素化することができるという利点がある。
【００６２】
なお、上記実施例の説明においては、いずれも活性炭触媒反応装置１８、４５、５５、６５、７５、８０、８５を排煙脱硫装置の一部に組み込んで一次処理排ガスに残存した亜硫酸ガスの脱硫に利用した例についてのみ説明したが、これに限るものではなく、これらの活性炭触媒反応装置のみを、亜硫酸ガスが１００ｖｏｌｐｐｍ以下である各種の被処理ガスの脱硫に用いてもよい。
また、回収した希硫酸についても、別置きの貯留槽に導き、これを濃縮工程において濃縮して別途硫酸として製品化し、回収してもよい。
【００６３】
【発明の効果】
以上詳細に説明したように、請求項１に記載の活性炭触媒反応装置およびこれを用いた請求項１５に記載の脱硫方法によれば、１００ｖｏｌｐｐｍ以下の亜硫酸ガスと、酸素および水分とを含む被処理ガスを、複数の活性炭触媒層の厚さ方向に通過させることにより、活性炭の触媒作用によって最終的に希硫酸として分離・除去することができる。この際に、請求項２または請求項１６に記載の発明のように、接触硫酸化速度Ｒが５μｍｏｌ／ｇ／ｈr 以上である活性炭を用い、さらに請求項１７に記載の発明のように、当該被処理ガスを接触脱硫率Ｙが少なくとも８０％となるように活性炭触媒層に通過させれば、一層好適である。
【００６４】
したがって、これを組み込んだ請求項１０に記載の排煙脱硫装置およびこれを用いた請求項１８に記載の脱硫方法によれば、従来の湿式の排煙脱硫装置によって吸収液により亜硫酸ガスが１００ｖｏｌｐｐｍ以下まで除去された一次処理排ガスから、さらに当該排ガス中の亜硫酸ガスを高い効率で除去することができ、よって、装置の大型化や動力消費の増大を招くことなく、多量の排ガスから極めて高い効率で亜硫酸ガスを除去することが可能となる。
【００６５】
特に、請求項１３に記載の発明のように、脱硫効率の高いジェットバブリング式の反応槽を有する排煙脱硫装置に組み込んだ場合には、一次処理排ガスがより低い亜硫酸濃度とされ、かつ上記ジェットバブリング層における気液接触によりほぼ飽和状態となって活性炭触媒反応装置に送られるため、上述した希硫酸の生成・流下がより一層効率的に行なわれるといった効果が得られる。
【図面の簡単な説明】
【図１】本発明の排煙脱硫装置の第１実施例を示す要部の構成図である。
【図２】図１の活性炭触媒反応装置を示す要部の斜視図である。
【図３】第１実施例の変形例を示す要部の構成図である。
【図４】第１実施例の他の変形例を示す要部の構成図である。
【図５】本発明の第２実施例を示す要部の構成図である。
【図６】本発明の第３実施例を示す要部の構成図である。
【図７】図６の活性炭触媒反応装置を示す要部の斜視図である。
【図８】図６の支持床を示す要部の底面図である。
【図９】本発明の第４実施例を示す要部の構成図である。
【図１０】図９の活性炭触媒反応装置を示す要部の斜視図である。
【図１１】本発明の第５実施例を示す要部の構成図である。
【図１２】図１１の活性炭触媒反応装置を示す要部の斜視図である。
【図１３】図１２の活性炭触媒反応装置の第１変形例を示す構成図である。
【図１４】図１２の活性炭触媒反応装置の第２変形例を示す構成図である。
【図１５】図１４の活性炭触媒層を示す要部の斜視図である。
【図１６】本発明の第６実施例を示す要部の構成図である。
【図１７】図１６の活性炭触媒層を示す要部の斜視図である。
【図１８】本発明の第７実施例を示す要部の構成図である。
【図１９】本発明者等が先に開発した活性炭充填塔を示す概略構成図である。
【図２０】高濃度亜硫酸ガスを含む被処理ガスに対する活性炭の脱硫率と操作時間との関係を示すグラフである。
【図２１】低濃度亜硫酸ガスを含む被処理ガスに対する活性炭の脱硫率と操作時間との関係を示すグラフである。
【図２２】接触脱硫率と被処理ガス中の亜硫酸ガス濃度との関係を示すグラフである。
【符号の説明】
１４  吸収塔
１５  酸化槽（吸収液槽）
１７  吸収液散布ライン
１８、４５、５５、６５、７５、８０、８５  活性炭触媒反応装置
１９、４７、５７、６８、７８、８７  活性炭触媒層
２０  上部仕切板
２１  下部仕切板
２１ａ  樋状部
２２、５０、７９、９０  流下管
２７  吸収液戻りライン
３１  吸収部
３２  洗浄装置（洗浄手段）
３５、９５  反応槽（吸収塔）
３６  下部デッキ
３７  上部デッキ
３８、９７  吸収液槽
３９、９８  入口プレナム
４０  出口プレナム
４１  スパージャーパイプ
４２、９９  ガスライザー
４６、５６、７０、７７  支持床
４８、５８、７２  開口部
４９、７１、９１、９２  閉止板
６６  希硫酸溜め
６７、７６、８６  装置本体
７３  移送管
７４  移送ポンプ
８８  受皿
８９  受液槽
９６  デッキ
【図１】
0003757437.tif 000002
【図２】
0003757437.tif 000003
【図３】
0003757437.tif 000004
【図４】
0003757437.tif 000005
【図５】
0003757437.tif 000006
【図６】
0003757437.tif 000007
【図７】
0003757437.tif 000008
【図８】
0003757437.tif 000009
【図９】
0003757437.tif 000010
【図１０】
0003757437.tif 000011
【図１１】
0003757437.tif 000012
【図１２】
0003757437.tif 000013
【図１３】
0003757437.tif 000014
【図１４】
0003757437.tif 000015
【図１５】
0003757437.tif 000016
【図１６】
0003757437.tif 000017
【図１７】
0003757437.tif 000018
【図１８】
0003757437.tif 000019
【図１９】
0003757437.tif 000020
【図２０】
0003757437.tif 000021
【図２１】
0003757437.tif 000022
【図２２】
0003757437.tif 000023